(57)【特許請求の範囲】
【請求項１】
炊飯器本体内に収納される鍋と、この鍋の底部を誘導加熱する加熱コイルと、この加熱コイルに流れる電流を制御する通電制御素子と、この通電制御素子をドライブするドライブ回路と、このドライブ回路にオン信号を出力する制御手段と、操作部と、この操作部に設け使用者が炊飯の開始時間（または終了時間）を炊飯予約設定ができる炊飯予約設定手段と、前記ドライブ回路に電源電流を供給する第１の電源回路と、前記第１の電源回路より電流を供給され電圧を降圧して前記操作部や前記制御手段に電源電流を供給する第２の電源回路と、前記第１の電源回路の出力電圧を切り替える電源電圧変更手段とを備え、前記第２の電源電圧回路はドロップ型の定電圧回路で構成され、前記電源電圧変更手段は、炊飯予約設定から炊飯の開始までの炊飯予約状態において、前記第１の電源回路の出力電圧の設定値を第１の電圧設定値からそれより低く設定した第２の電圧設定値に切り替えるように構成し、前記第２の電圧設定値は、前記第２の電源回路が前記制御手段に電圧供給可能な電圧設定値で、かつ前記ドライブ回路が前記通電制御素子をオフ維持するのに必要な電圧を通電できる電圧設定値とした炊飯器。
【請求項２】
表示手段と、この表示手段に炊飯予約状態であるか、ないかを表示する予約表示部とを備え、炊飯予約状態である場合は、前記予約表示部の表示を点灯するようにした請求項１記載の炊飯器。
【請求項３】
炊飯予約状態から炊飯開始と同時に、第１の電源回路の出力電圧の設定値を第２の電圧設定値から第１の電圧設定値に戻すウェイクアップ手段を付加した請求項１または２記載の炊飯器。
【請求項４】
予約表示部は、炊飯予約状態において、炊飯予約状態であることの表示を点滅するようにした請求項２記載の炊飯器。
【請求項５】
炊飯予約状態の開始からの経過時間を計時する計時手段を備え、予約表示部は、前記計時手段の計時時間が設定値を超過したとき、炊飯予約状態であることの表示を消灯するようにした請求項２記載の炊飯器。
【発明の詳細な説明】
【技術分野】
【０００１】
本発明は、炊飯予約状態中に消費電力を低減するようにした炊飯器に関するものである。
【背景技術】
【０００２】
従来、この種の炊飯器を構成する誘導加熱装置は図４に示すように構成していた（例えば、特許文献１参照）。以下、その構成について説明する。
【０００３】
図４に示すように、回路基板は、直流電源回路７０と、負荷部品の駆動回路７８と、起動スイッチ７９と、電源制御回路８０と、マイクロコンピュータ（以下、マイコンという）８４からなる制御部を備えている。
【０００４】
直流電源回路７０は、交流電源７１に直列に接続されて交流電流を整流するダイオード７３と、このダイオード７３に直列に接続されて平滑した直流高電圧を形成する電解コンデンサ７６と、降圧型チョッパー方式の周知の方法により降圧させて直流低電圧を得るスイッチング電源回路７５と、直流低電圧を安定化させる電解コンデンサ７７とで構成している。
【０００５】
起動スイッチ７９は、両端をスイッチング電源回路７５に接続し、この直流電源回路７０のスイッチング動作を起動するもので、非動作時は電流の通電を遮断する常開スイッチで構成している。
【０００６】
電源制御回路８０は、直流電源回路７０からの電力の出力状態を維持または停止するもので、スイッチング素子であるトランジスタ８１を備えている。このトランジスタ８１は、エミッタとコレクタを起動スイッチ７９と並列に接続し、ベースを抵抗８２を介してマイコン８４に接続するとともに、抵抗８３を介してエミッタ側と接続している。
【０００７】
この構成において、マイコン８４は、すべての負荷部品が非動作中であると判断すると、電源制御回路８０を介して、直流電源回路７２からの電力の出力を停止する。これにより、待機中の消費電力を低減することができる。
【特許文献１】特開２０００−２８７８３７号公報
【発明の開示】
【発明が解決しようとする課題】
【０００８】
しかしながら、このような従来の構成では、直流電源回路７０からの出力を停止しているときには、駆動回路７８には、電源電流の供給が停止されているため、その内部電位が不安定になり、外部からのノイズにより駆動回路７８の出力が誤出力され、負荷部品が誤動作するという問題を有していた。特に、負荷部品の内でも、誘導加熱電流を導通、遮断する通電制御素子が誤動作した場合、この通電制御素子は１ミリ秒以内に短絡し、破壊してしまうという問題を有していた。
【０００９】
本発明は上記従来の課題を解決するもので、外部からのノイズによる誤動作耐量を損ねることなく、炊飯予約中においても電力を低減できる炊飯器を提供することを目的としている。
【課題を解決するための手段】
【００１０】
本発明は上記目的を達成するために、炊飯器本体内に収納される鍋の底部を加熱コイルにより誘導加熱し、この加熱コイルに流れる電流を制御する通電制御素子をドライブ回路によりドライブし、ドライブ回路に電源電流を供給する第１の電源回路より電流を供給されるドロップ型の定電圧回路で構成された第２の電源回路により電圧を降圧して、使用者が炊飯の開始時間（または終了時間）を炊飯予約設定ができる炊飯予約設定手段を設けた操作部やドライブ回路にオン信号を出力する制御手段に電源電流を供給し、第１の電源回路の出力電圧を電源電圧変更手段により切り替えるよう構成し、電源電圧変更手段は、炊飯予約設定から炊飯の開始までの炊飯予約状態において、第１の電源回路の出力電圧の設定値を第１の電圧設定値からそれより低く設定した第２の電圧設定値に切り替えるように構成し、第２の電圧設定値は、第２の電源回路が前記制御手段に電圧供給可能な電圧設定値で、かつドライブ回路が前記通電制御素子をオフ維持するのに必要な電圧を通電できる電圧設定値としたものである。
【００１１】
これにより、炊飯予約状態において、第１の電源回路の出力電圧を第１の電圧設定値より低い第２の電圧設定値とすることができ、電源電圧が下がったことにより、ドライブ回路の消費電流を低減でき、ひいては、炊飯予約状態における電力を抑えることができる。この状態では、ドライブ回路に電源電流が通電されているため、通電制御素子のトリガ端子は電位が安定し、外部からのノイズによる誤動作耐量を損ねることがなくなる。
【発明の効果】
【００１２】
本発明の炊飯器は、炊飯予約状態において、第１の電源回路の出力電圧を低下させることにより、安価で、かつ外来ノイズ耐量を下げることなく、炊飯予約状態での電力を低減することができる。
【発明を実施するための最良の形態】
【００１３】
第１の発明は、炊飯器本体内に収納される鍋と、この鍋の底部を誘導加熱する加熱コイルと、この加熱コイルに流れる電流を制御する通電制御素子と、この通電制御素子をドライブするドライブ回路と、このドライブ回路にオン信号を出力する制御手段と、操作部と、この操作部に設け使用者が炊飯の開始時間（または終了時間）を炊飯予約設定ができる炊飯予約設定手段と、前記ドライブ回路に電源電流を供給する第１の電源回路と、前記第１の電源回路より電流を供給され電圧を降圧して前記操作部や前記制御手段に電源電流を供給する第２の電源回路と、前記第１の電源回路の出力電圧を切り替える電源電圧変更手段とを備え、前記第２の電源電圧回路はドロップ型の定電圧回路で構成され、前記電源電圧変更手段は、炊飯予約設定から炊飯の開始までの炊飯予約状態において、前記第１の電源回路の出力電圧の設定値を第１の電圧設定値からそれより低く設定した第２の電圧設定値に切り替えるように構成し、前記第２の電圧設定値は、前記第２の電源回路が前記制御手段に電圧供給可能な電圧設定値で、かつ前記ドライブ回路が前記通電制御素子をオフ維持するのに必要な電圧を通電できる電圧設定値としたものであり、炊飯予約状態において、第１の電源回路の出力電圧を第１の電圧設定値より低い第２の電圧設定値とすることができ、電源電圧が下がったことにより、ドライブ回路の消費電流を低減でき、炊飯予約状態における電力を抑えることができる。この状態では、ドライブ回路に電源電流が通電されているため、通電制御素子のトリガ端子は電位が安定し、外部からのノイズによる誤動作耐量を損ねることがなくなる。
【００１４】
第２の発明は、上記第１の発明において、表示手段と、この表示手段に炊飯予約状態であるか、ないかを表示する予約表示部とを備え、炊飯予約状態である場合は、前記予約表示部の表示を点灯するようにしたものであり、使用者は炊飯予約状態であるか、ないかを視覚的に確認することができ、また炊飯予約状態では、表示手段は第１の電源回路の出力
電圧が下がったことにより、第１の電源回路の出力電圧を下げない場合に比べ、消費電力を低減できるようになるので、炊飯器の炊飯予約状態における消費電力を抑えることができる。
【００１５】
第３の発明は、上記第１または第２の発明において、炊飯予約状態から炊飯開始と同時に、第１の電源回路の出力電圧の設定値を第２の電圧設定値から第１の電圧設定値に戻すウェイクアップ手段を付加したものであり、炊飯を行う加熱シーケンスの実行中は、ドライブ回路は第１の電源回路より電源供給を受けることができる。
【００１６】
第４の発明は、上記第２の発明において、予約表示部は、炊飯予約状態において、炊飯予約状態であることの表示を点滅するようにしたものであり、予約表示部は、第２の電圧設定値で炊飯予約状態であることの表示を点滅するので、消灯中は予約表示部への消費電流を遮断することができ、炊飯予約状態における電力を抑えることができる。
【００１７】
第５の発明は、上記第２の発明において、炊飯予約状態の開始からの経過時間を計時する計時手段を備え、予約表示部は、前記計時手段の計時時間が設定値を超過したとき、炊飯予約状態であることの表示を消灯するようにしたものであり、炊飯予約状態の開始からの計時手段の設定値を超過したとき、予約表示部は炊飯予約状態であることの表示を消灯することができるので、使用者が炊飯予約の設定が確実にできたと確認できると、予約表示部の表示を消灯するので、消灯中は予約表示部への消費電流を遮断することができ、炊飯予約状態における電力を抑えることができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における炊飯器の一部ブロック化した回路図を示し、図２は、同炊飯器の断面図を示すものである。
【００２０】
図２に示すように、炊飯器本体１は、内部に米と水を入れる鍋２を着脱自在に収納し、この鍋２はステンレス、鉄などの磁性体によって形成している。鍋２の上部開口部を外蓋３で開閉自在に覆っている。加熱コイル４は、鍋２の底面外側に配設し、高周波電源から供給される高周波電流により交番磁界を発生し、この交番磁界で鍋２を誘導加熱している。加熱コイル４の巻線方向に対して、その巻線方向がほぼ直交するように、高透磁性の磁性材料で形成したフェライト５を加熱コイル４の外側近傍に配置している。フェライト５は、加熱コイル４による磁界が炊飯器本体１の外部へ漏れるのを防止するとともに、鍋２への誘導加熱を促進する。
【００２１】
鍋温度センサ６は鍋２の温度を検知するもので、サーミスタで構成し、その抵抗値により鍋２の温度を検知している。制御基板７は、加熱コイル４に流れる電流を制御する通電制御素子と、通電制御素子をドライブするドライブ回路を構成している。
【００２２】
つぎに、図１に示すように、加熱コイル４に並列に共振用コンデンサ８を接続している。インバータ電源部９は、商用電源１０より電流を供給され、ダイオードブリッジ１１にて全波整流し、コンデンサ１２にて平滑化された直流を加熱コイル４に供給する。通電制御素子１３は、加熱コイル４に流れる電流を制御するもので、通電制御素子１３に並列に還流ダイオード１４を接続している。
【００２３】
インバータ電源部９と加熱コイル４との間に設けた通電制御素子１３と還流ダイオード１４で構成されたＩＧＢＴ等の半導体パワー素子のスイッチングにより、加熱コイル４へ
高周波電流を供給し、スイッチング周波数によって供給電力を制御できるようにし、加熱コイル４の電流量を制御して鍋２を加熱し、鍋２内の米と水を炊飯するよう構成している。
【００２４】
ドライブ回路１５は、通電制御素子１３のトリガ端子であるＩＧＢＴ３４のゲート端子に規定の電圧の駆動信号を出力しＩＧＢＴ３４を導通させる。マイクロコンピュータ（以下、マイコンという）１６は、内部に搭載されたメモリ１７に格納されたシーケンスに従い加熱を制御するものである。
【００２５】
制御手段１８は、マイコン１６に内蔵され、ドライブ回路１５にオン・オフ信号を出力している。第１の電源回路１９は、ドライブ回路１５やマイコン１６の周辺回路に電源電流を供給し、第２の電源回路２０は、第１の電源回路１９より電流の供給を受け、降圧してマイコン１６や操作部２１や表示手段２２に電源電流を供給するようにしている。
【００２６】
炊飯予約設定手段２３は、操作部２１に設け使用者が炊飯の開始時間（または終了時間）を炊飯予約設定ができるようにしたもので、予約スイッチ２４、時スイッチ２５、分スイッチ２６、炊飯スイッチ２７や抵抗２８により構成し、予約スイッチ２４、時スイッチ２５、分スイッチ２６、炊飯スイッチ２７のオン・オフをマイコン１６に入力している。表示手段２２は予約表示部２９、炊飯ＬＥＤ３０で構成され、マイコン１６の出力により表示するようにしている。
【００２７】
予約表示部２９は、ＬＣＤ３１と、予約ＬＥＤ３２と抵抗３３で構成され、予約炊飯状態になるとマイコン１６の信号によりＬＣＤ３１に時間を表示し、予約ＬＥＤ３２を点灯するようにしている。
【００２８】
ドライブ回路１５は、ＩＧＢＴ３４をドライブするもので、トランジスタ３５〜３８と抵抗で構成し、制御手段１１がハイ信号を出力すると、トランジスタ３５がオンし、トランジスタ３６はベースがトランジスタ３５のコレクタに接続されており、トランジスタ３５のオンに伴いベース電位が下がるためにオフする。これにより、トランジスタ３６のコレクタ、つまり、トランジスタ３７の電位が上昇し、トランジスタ３７が導通し、通電制御素子のトリガ端子に電流が供給され、トリガ端子の電位が上昇して、通電制御素子１３を導通させる。
【００２９】
制御手段１８がロー信号を出力するときは、トランジスタ３５〜３８の動作は逆になり、トランジスタ３８はオンして、通電制御素子１３のトリガ端子より電流を吸出し、トリガ端子の電位はグランドレベルに保たれて、通電制御素子１３はオフを維持する。トランジスタ３８がオンを維持することにより、通電制御素子１３のトリガ端子の電位はグランドレベルに保たれているので、外来ノイズにより、通電制御素子１３が誤点弧することはない。
【００３０】
第１の電源回路１９は、ダイオード３９、抵抗４０により、商用電源１０の半波整流を行い、電解コンデンサ４１を充電する。電源ＨＩＣ４２は、電解コンデンサ４１の電荷を内部の半導体によりスイッチングし、コイル４３、還流ダイオード４４により共振させ、電解コンデンサ４５にて平滑化する。
【００３１】
ツェナーダイオード４６、フォトカプラ４７は、この電源電圧のフィードバック回路であり、第１の電源回路１９の出力電圧４８がツェナーダイオード４６のツェナー電圧と、フォトカプラ４７の内蔵発光ダイオード順電圧の規定値より高いとき、フォトカプラ４７の内蔵発光ダイオードは発光し、同じくパッケージ内に内蔵されているフォトトランジスタを導通させ、電源ＨＩＣ４２内部の半導体のスイッチングが停止し、コイル４３への電
流の供給が停止され、電解コンデンサ４５の電荷が消費されるに従い、第１の電源回路１９の出力電圧は低下する。
【００３２】
逆に、第１の電源回路１９の出力電圧がツェナーダイオード４６のツェナー電圧と、フォトカプラ４７の内蔵発光ダイオード順電圧の規定値より低いとき、フォトカプラ４７の内蔵発光ダイオードは発光せず、同じくパッケージ内に内蔵されているフォトトランジスタは導通せず、電源ＨＩＣ４２は、内部の半導体のスイッチングを継続し、コイル４３、還流ダイオード４４の共振により、電解コンデンサ４５には電荷が充電されて、第１の電源回路１９の出力電圧は上昇する。
【００３３】
第１の電源回路１９の出力電圧は、ＩＧＢＴ３４のゲート端子の特性に合わせる必要があり、ここでは２０Ｖとなっている。第１の電源回路１９による電源は、この図においては、“Ｖ”４８にて示しており、ドライブ回路１５、第２の電源回路２０に接続され、電源電流を供給している。
【００３４】
第２の電源回路２０は、トランジスタ４９、抵抗５０、ツェナーダイオード５１によりドロップ型の定電圧回路を構成しており、第１の電源回路１９から供給された２０Ｖを５Ｖに降圧し電解コンデンサ５２を充電する。第２の電源回路２０は、この図においては、その出力を“ＶＤＤ”５３にて示しており、第１の電源回路１９より電流の供給を受け、マイコン１６や操作部２１、表示手段２２に５Ｖの電源電流を供給している。
【００３５】
第２の電源回路２０は、商用電源１０より直接電流を供給されるのではなく、第１の電源回路１９にて、２０Ｖに降圧した直流を供給されることにより、降圧に伴う発熱の抑制と、絶縁距離の緩和を行い、コンパクトな配置としている。
【００３６】
電源電圧変更手段５４は、第１の電源回路１９の出力電圧を切り替えるもので、加熱シーケンスを実行していない予約炊飯状態にて、第１の電源回路１９の出力電圧の設定値を第１の電圧設定値からそれより低く設定した第２の電圧設定値に切り替えるよう構成している。すなわち、ツェナーダイオード５５、トランジスタ５５は電圧設定部であり、加熱シーケンス中の第１の電源回路１９の出力電圧の設定値が第１の電圧設定値の場合は、トランジスタ５６をオフさせ、ツェナーダイオード４６にて電源ＨＩＣの電圧フィードバックループに挿入する。
【００３７】
加熱シーケンスを実行していない予約炊飯状態にて、第２の電圧設定値に切り替える場合は、トランジスタ５６をオンさせ、ツェナーダイオード５５をツェナーダイオード４６より低い電圧に設定し、ツェナーダイオード５５にて電源ＨＩＣのフィードバックループに挿入する。
【００３８】
本実施の形態では、第１の電圧設定値は２０Ｖ、第２の電圧設定値は１０Ｖとなるように、ツェナーダイオード４６、ツェナーダイオード４７を選定している。
【００３９】
電源電圧変更機能５７は、マイコン１６内において、炊飯器の状況に応じ、第１の電源回路１９の出力電圧の設定値切り替えのため、トランジスタ５６にオン・オフ信号を出力する機能である。この電源電圧変更機能５７の出力は、第１の電圧設定値に対応したローと、第２の電圧設定値に対応したハイインピーダンスの２通りであり、ロー出力のとき、トランジスタ５６はオフ、ハイインピーダンス出力のとき、トランジスタ５６は、抵抗から供給される電流にてオンする。予約炊飯状態以外の状態では、電源電圧変更機能はローを出力している。
【００４０】
計時手段５８は、予約炊飯状態になってからの経過時間を計時するものであり、ウェイ
クアップ手段５９は、炊飯予約状態から炊飯開始に行った場合、第１の電源回路１９の出力電圧の設定値を第２の電圧設定値から第１の電圧設定値に戻すものであり、これらの詳細は後述する。
【００４１】
上記構成において動作、作用を説明する。使用者は、炊飯予約するため、炊飯予約設定手段２３を構成する予約スイッチ２４を押し、予約設定可能状態にする。さらに、使用者が炊飯の開始時間（または終了時間）を設定するため、時スイッチ２５と分スイッチ２６を押し、ＬＣＤ３１に表示される炊飯の開始時間を２４時間表示で設定し、炊飯スイッチ２５を押すと炊飯予約状態にすることができる。
【００４２】
ここで、加熱シーケンスを実行していない炊飯予約状態では、電源電圧変更機能５７はハイを出力し、電源電圧変更手段５４を構成するトランジスタ５６をオンにし、電源ＨＩＣのフィードバックループには、ツェナーダイオード５５が挿入されることになり、第１の電源回路１９の出力電圧の設定値を第１の電圧設定値（２０Ｖ）からそれより低く設定した第２の電圧設定値（１０Ｖ）に切り替え、さらにマイコン１６が炊飯予約状態を意味する予約ＬＥＤ３２を点灯させる。
【００４３】
第１の電源回路１９の出力電圧が１０Ｖになるので、ドライブ回路１５の消費電流を低減でき、さらに予約ＬＥＤ３２は第１の電源回路１９の出力電圧の設定値を第１の電圧設定値（２０Ｖ）から１０ｍＡ供給される場合に比べ、第２の電圧設定値（１０Ｖ）から１０ｍＡ供給される場合が約１／２の消費電力となり、炊飯予約状態での消費電力を低減できる。予約ＬＥＤ３２に流す電流は１０ｍＡのままなので、予約ＬＥＤ３２の明るさは第１の電源回路１９の出力電圧が２０Ｖの時と１０Ｖの時とでは変わらない。
【００４４】
本実施の形態では、炊飯予約状態での電力低減状態における、第１の電源回路１９の出力電圧を１０Ｖ（第２の電圧設定値）と設定したが、これは、第２の電源回路２０の出力電圧である５Ｖに対して充分な余裕のある値であり、第２の電源回路２０の抵抗には、充分な電流が流れ、トランジスタ４９のベースとツェナーダイオード５１には充分な電流が流れ、第２の電源回路２０の出力電圧５Ｖは、充分な安定性と電流供給能力を持っている。
【００４５】
このため、第２の電源回路２０に接続されたマイコン１６は、炊飯予約状態において、第１の電源回路１９の出力電圧が第２の電圧設定値である１０Ｖとなっているときでも、誤動作の恐れがない。
【００４６】
また、ドライブ回路１５では、第１の電源回路１９の出力電圧が第２の電圧設定値である１０Ｖとなっているときでも、各トランジスタ３５〜３８は、正常にオン・オフ状態を維持している。ＩＧＢＴ３４のゲート端子に接続されたトランジスタ３８もオン状態を維持して、ＩＧＢＴ３４のトリガ端子をグランドレベルに固定しており、もし仮に、外部よりノイズが浸入しても、ＩＧＢＴ３４は、誤点弧することはない。
【００４７】
なお、第１の電源回路１９の第２の電圧設定値を、第２の電源回路２０の出力電圧である５Ｖ以下の値である４Ｖとした場合も、第２の電源回路２０を構成する抵抗５０には電流が流れ、一方、ツェナーダイオード５１には、ツェナー電圧以下で電流が流れないことにより、トランジスタ４９のべース電流は確保でき、第２の電源回路２０の出力電圧は３．５Ｖ程度となって、マイコン１６は、動作状態を維持することができる。
【００４８】
ドライブ回路１５でも、電源として４Ｖが供給されているため、上記のように、ＩＧＢＴ３４のトリガ端子に接続されたトランジスタ３８もオン状態を維持し、ＩＧＢＴ３４のゲート端子をグランドレベルに固定しており、もし仮に、外部よりノイズが浸入しても、
ＩＧＢＴ３４は、誤点弧することはない。
【００４９】
また、この状態では、第１の電源回路１９、第２の電源回路２０の出力電圧が、上記実施の形態に比べ、より一層下がることにより予約炊飯状態での電力は更に低い値となる。
【００５０】
以上のように、本実施の形態においては、電源電圧変更手段５４は、炊飯予約設定から炊飯の開始までの予約炊飯状態にて、第１の電源回路１９の出力電圧の設定値を第１の電圧設定値（２０Ｖ）からそれより低く設定した第２の電圧設定値（１０Ｖ）に切り替えるよう構成したので、炊飯予約状態において、第１の電源回路１９の出力電圧が下がったことにより、ドライブ回路１５の消費電流を低減でき、予約ＬＥＤ３２の明るさは同じで、炊飯予約状態における炊飯器全体の消費電力を抑えることができる。この状態では、ドライブ回路１５に電源電流が通電されているため、ＩＧＢＴ３４のトリガ端子は電位が安定し、外部からのノイズによる誤動作耐量を損ねることがなくなる。
【００５１】
また、炊飯予約状態である場合は、予約表示部２９の予約ＬＥＤ３２を点灯するようにしたので、使用者は炊飯予約状態であるか、ないかを視覚的に確認することができる。
【００５２】
なお、本実施の形態では、炊飯予約状態である場合は、予約表示部２９の予約ＬＥＤ３２を点灯するようにしているが、予約ＬＥＤ３２を点滅するようにしてもよく、さらに、ＬＣＤ３１には炊飯予約完了の旨と設定した時間を表示させ、点滅させてもよい。この場合、予約表示部２９は第２の電圧設定値（１０Ｖ）で炊飯予約状態であることの表示を点滅するので、消灯中は予約表示部２９への消費電流を遮断することができ、炊飯予約状態における消費電力をさらに抑えることができる。
【００５３】
（実施の形態２）
図１に示すウェイクアップ手段５９は、炊飯予約状態から使用者が設定した炊飯の開始時間になった場合、電源電圧変更機能５７に信号を出力し、第１の電源回路１９の出力電圧の設定値を第２の電圧設定値から第１の電圧設定値にするようにしている。他の構成は上記実施の形態１と同じである。
【００５４】
上記構成において動作、作用を説明する。第１の電源回路１９の出力電圧の設定値が炊飯予約状態に入り、第２の電圧設定値（１０Ｖ）である状態で、使用者が設定した炊飯の開始時間になった場合、ウェイクアップ手段５９は電源電圧変更機能５７に信号を出力し電源電圧変更機能５７は、トランジスタ５６にローを出力し、第１の電源回路１９の出力電圧の設定値を第１の電圧設定値である２０Ｖに切り替える。炊飯器は加熱シーケンスをスタートさせると、マイコン１６は、炊飯ＬＥＤ３０を点灯させ、メモリに搭載されたシーケンスに従い、マイコン１６に内蔵された制御手段１８よりドライブ回路１５にハイ信号を出力し、これを受けてドライブ回路１５はＩＧＢＴ３４のゲート端子に駆動信号を出力し、ＩＧＢＴ３４を導通して加熱コイル４に通電され、鍋２を誘導加熱して炊飯を行う。
【００５５】
以上のように、本実施の形態においては、炊飯予約状態から炊飯開始と同時に、第１の電源回路１９の出力電圧の設定値を第２の電圧設定値から第１の電圧設定値に戻すウェイクアップ手段５９を付加したので、炊飯を行う加熱シーケンスの実行中は、ドライブ回路１５は第１の電源回路１９より正常状態である電源供給を受けることができる。
【００５６】
（実施の形態３）
図１に示す計時手段５８は、炊飯予約状態になってからの経過時間を計時するものであり、電源電圧変更手段５４は、計時手段５８の計時時間が設定値を超過したとき、予約表示部２９は炊飯予約状態であることの予約ＬＥＤ３２を消灯するよう構成している。他の
構成は上記実施の形態１と同じである。
【００５７】
上記構成において図３を参照しながら動作、作用を説明する。図３のステップ６０にて計時時間を０にリセットし、ステップ６１にて予約炊飯状態かどうかを判定し、予約炊飯状態でなければステップ６０へ戻り、計時時間を０にリセットしつづける。ステップ６１で予約炊飯状態の場合、ステップ６２へ進み計時を行う。ステップ６３にて計時時間が設定時間Ｔを超過すると、ステップ６４にてマイコン１６は予約ＬＥＤ３２を消灯させる。
【００５８】
これにより、炊飯予約状態を表示する予約表示部２９である予約ＬＥＤ３２の消費電力を低減でき、ひいては、炊飯器全体の予約炊飯時の電力を抑えることができる。
【００５９】
以上のように、本実施の形態においては、炊飯予約状態の開始からの経過時間を計時する計時手段５８の計時時間が設定値を超過したとき、予約表示部２９は炊飯予約状態であることの表示を消灯するようにしたので、使用者が炊飯予約の設定が確実にできたと確認できる時間に設定し、予約表示部２９の表示である予約ＬＥＤ３２を消灯するので、消灯中は予約表示部２９への消費電流を遮断することができ、炊飯予約状態における電力を抑えることができる。
【産業上の利用可能性】
【００６０】
以上のように、本発明にかかる炊飯器は、炊飯予約状態において、第１の電源回路の出力電圧を低下させることにより、安価で、かつ外来ノイズ耐量を下げることなく、炊飯予約状態での電力を低減することができるので、炊飯予約状態中に消費電力を低減するようにした炊飯器として有用である。
【図面の簡単な説明】
【００６１】
【図１】本発明の実施の形態１における炊飯器の一部ブロック化した回路図
【図２】同炊飯器の断面図
【図３】本発明の実施の形態３における炊飯器の要部動作フローチャート
【図４】従来の炊飯器の一部ブロック化した回路図
【符号の説明】
【００６２】
１  炊飯器本体
２  鍋
４  加熱コイル
１３  通電制御素子
１５  ドライブ回路
１８  制御手段
１９  第１の電源回路
２０  第２の電源回路
２１  操作部
２３  炊飯予約設定手段
５４  電源電圧変更手段
【図１】
0004458060.tif 000002
【図２】
0004458060.tif 000003
【図３】
0004458060.tif 000004
【図４】
0004458060.tif 000005